(57)【特許請求の範囲】
【請求項１】
表面としての第１の面及び、裏面としての第２の面を有する板状部材と、
前記第２の面に設けられ、水平方向に沿って全方位に前記板状部材を移動させる複数個のボールローラーと、を備え、
かつ、下記（１）〜（８）の構成を有することを特徴とするストレッチ用スライダー。
（１）前記板状部材の平面形状を、円状とする。
（２）前記板状部材の前記第１の面に、複数層からなる緩衝部材が積層してある。
（３）前記緩衝部材の、前記板状部材側の面とは反対側の面に、凹凸を設けてあり、当該凹凸の高低差を、５〜３０ｍｍの範囲内の値とする。
（４）前記複数層からなる緩衝部材の厚みを１０〜４０ｍｍの範囲内の値とする。
（５）前記複数のボールローラーの数を５個以上とする。
（６）前記複数個のボールローラーの中心点と、前記板状部材の縁部との最短距離を１５〜３０ｍｍの範囲内の値とする。
（７）前記複数個のボールローラーを、少なくとも前記第２の面の縁に沿って設けてある。
（８）記複数個のボールローラーを、前記板状部材の中心点を想定した場合に、その中心点からみて放射状に設けてある。
【請求項２】
前記第２の面から、前記ボールローラーが突出する高さを５〜３０ｍｍの範囲内の値とすることを特徴とする請求項１に記載のストレッチ用スライダー。
【請求項３】
前記板状部材の平面形状における最大径を１５〜３５ｃｍの範囲内の値とすることを特徴とする請求項１又は２に記載のストレッチ用スライダー。
【請求項４】
前記複数層からなる緩衝部材を、前記板状部材側から順に設けた第１の緩衝部材と、第２の緩衝部材の２層構造とすることを特徴とする請求項１〜３のいずれか一項に記載のストレッチ用スライダー。
【請求項５】
前記複数層からなる緩衝部材を、それぞれ、ウレタン樹脂、ＥＶＡ樹脂、スチレン樹脂、ポリエステル樹脂、及びアクリル樹脂の少なくとも一種とすることを特徴とする請求項１〜４のいずれか一項に記載のストレッチ用スライダー。
【請求項６】
前記ボールローラーを、正五角形の頂点に相当する位置に設けてあることを特徴とする請求項１〜５のいずれか一項に記載のストレッチ用スライダー。
【請求項７】
前記ボールローラーを、回転に応じて、所定の音を発するものとすることを特徴とする請求項１〜６のいずれか一項に記載のストレッチ用スライダー。
【請求項８】
前記ボールローラーの数を、１０個以下とすることを特徴とする請求項１〜７のいずれか一項に記載のストレッチ用スライダー。
【発明の詳細な説明】
【技術分野】
【０００１】
本発明は、健康促進、筋力強化等を図るためのストレッチ用スライダーであって、軽量かつコンパクトなストレッチ用スライダーに関する。
【背景技術】
【０００２】
従来のストレッチ用スライダーとして、例えば特許文献１に開示されたものがある。図７（ａ）、（ｂ）は、このストレッチ用スライダー１００の説明図である。具体的には、図７（ａ）は、ストレッチ用スライダー１００の使用例を示した図、図７（ｂ）は、ストレッチ用スライダー１００の概要を示した側面図である。【０００３】
従来のストレッチ用スライダー１００は、手のひらで握れる程度の大きさの球状体１０１と、球状体１０１の天面部に設けたストラップ１０２と、を含むものである。
球状体１０１は、内部に、１個の大型のローラーボール１０１ａと、上部カバー１０１ｂと、下部カバー１０１ｃと、ベヤリングシステム１０１ｄと、固定部材１０１ｅとを、備えている。【０００４】
ローラーボール１０１ａは、上部カバー１０１ｂと下部カバー１０１ｃとの間に、配置されている。
上部カバー１０１ｂと、ローラーボール１０１ａとの間には、ベヤリングシステム１０１ｄが収納されている。ベヤリングシステム１０１ｄは、固定部材１０１ｅによって、上部カバー１０１ｂと、ローラーボール１０１ａとの間に、収納されている。【０００５】
このストレッチ用スライダー１００を使用する際は、人が手１１０によって球状体１０１の天面を握り、かつ、ストラップ１０２によって、手１１０を球状体１０１に固定する。人が、球状体１０１に負荷をかけると、ストレッチ用スライダー１００が、負荷方向に自在に移動するので、所望のエクササイズが行える。【０００６】
また、うつ伏せの姿勢で、腹筋エクササイズと、背筋エクササイズの両方を可能とする、コンパクトな手足支持エクササイズシステムとして、例えば、特許文献２が開示されている。【０００７】
より具体的には、第１の手足スライダ２００、第２の手足スライダ３００を備えた手足支持エクササイズシステムであって、エクササイズを行うために、地面を横切って体を滑らせる際、使用者４００の身体を支持することのできる手足支持エクササイズシステムである。
図８に示すように、手足スライダで、身体を支持することにより、地面をスライドさせる形での運動を容易とし、様々なエクササイズを可能とするものである。
【先行技術文献】
【特許文献】
【０００８】
【特許文献１】米国公開公報  ２００５−０２０９０７２（図７、図１、段落３８−４０等）
【特許文献２】ＷＯ２０１３／１４２４２２（特許請求の範囲、図１５等）
【発明の概要】
【発明が解決しようとする課題】
【０００９】
しかしながら、特許文献１に記載のストレッチ用スライダー１００は、１個のローラーボール１０１ａから構成されるため、コンパクト性を保つのが困難であり、軽量性にも問題が見られた。
また、安定性を欠き、一定のストレッチ効果を得られるかどうかが、使用者の膂力等の身体能力に強く依存するという問題があった。
従って、例えば、使用者が十分な膂力を有していない老人や、子供などであった場合、安定してストレッチ効果を得るのは困難であり、場合によっては、怪我をする等の懸念があった。【００１０】
また、特許文献２に記載の手足支持エクササイズシステムは、第１、第２の手足スライダを、地面を横切る形でスライドさせるものであって、滑り性が低く、摩擦係数の高い床面上では、エクササイズを安定して行うのが困難であった。【００１１】
そこで、本願の発明者は、このような問題点に鑑み鋭意努力した結果、所定構成のストレッチ用スライダーとすることによって、優れたコンパクト性、軽量性を有し、さらには好適な安定性、及び滑り性を発揮することを見出し、本発明を完成させたものである。
すなわち、本発明の目的は、コンパクト性、軽量性に優れ、高い安定性、及び滑り性を発揮するストレッチ用スライダーを提供することにある。
【課題を解決するための手段】
【００１２】
本発明のストレッチ用スライダーによれば、本発明のストレッチ用スライダーによれば、表面としての第１の面及び、裏面としての第２の面を有する板状部材と、第２の面に設けられ、水平方向に沿って全方位に板状部材を移動させる複数個のボールローラーと、を備えることを特徴とする。
より具体的には、表面としての第１の面及び、裏面としての第２の面を有する板状部材と、第２の面に設けられ、水平方向に沿って全方位に板状部材を移動させる複数個のボールローラーと、を備え、かつ、下記１）〜８）の構成を有することを特徴とする。
１）板状部材の平面形状を、円状とする。
２）板状部材の第１の面に、複数層からなる緩衝部材が積層してある。
３）緩衝部材の、板状部材側の面とは反対側の面に、凹凸を設けてあり、当該凹凸の高低差を、５〜３０ｍｍの範囲内の値とする。
４）複数層からなる緩衝部材の厚みを１０〜４０ｍｍの範囲内の値とする。
５）複数のボールローラーの数を５個以上とする。
６）複数個のボールローラーの中心点と、板状部材の縁部との最短距離を１５〜３０ｍｍの範囲内の値とする。
７）複数個のボールローラーを、少なくとも第２の面の縁に沿って設けてある。
８）複数個のボールローラーを、板状部材の中心点を想定した場合に、その中心点からみて放射状に設けてある。
このような構成によれば、板状部材と実施形態で説明するような工業的に量産されている小型のボールローラーにより、構成するため、コンパクト性、軽量性を向上させることができる。
また、本発明のストレッチ用スライダーによれば、板状部材を用いるとともに、板状部材自体も複数個のボールローラーを介して、床等に安定して置くことができるため、使用時に高い安定性を発揮することができる。
しかも、ストレッチ用スライダーの移動は、ボールローラーを介して行われるため、滑り性に優れ、摩擦係数の高い床面上であっても容易に使用することができる。
また、本発明のストレッチ用スライダーは、上記の通り、簡易な構造であるため、経済性にも優れる。
【００１３】
また、本発明のストレッチ用スライダーを構成するに当たり、複数個のボールローラーを、少なくとも第２の面の縁に沿って設けることが好ましい。
ストレッチ用スライダーを使用する場合、板状部材の縁部に外力が集中して加わる場合がある。
このように局所的に外力が加わった場合、何の配慮も無いと、ストレッチ用スライダーは、外力が集中した辺りを支点として傾いてしまって、ストレッチ用スライダーの移動に支障が出る場合がある。
これに対し、この好適例のように、複数個のボールローラーを第２の面の縁に沿って設けておけば、板状部材の縁部に外力が集中した場合でも、ボールローラーがこの外力を受け易くなるので、ストレッチ用スライダーが傾く程度を軽減できる。
従って、ストレッチ用スライダーの安定性がより向上し、使用者の膂力等の身体能力への依存性を低減できる。【００１４】
また、本発明のストレッチ用スライダーを構成するに当たり、複数個のボールローラーを、上記の板状部材の中心点（図２（ａ）のＱ点）を想定した場合に、その中心点からみて放射状に設けることが好ましい。
このように構成することで、板状部材に加わる外力をより分散して受けることができるため、ストレッチ用スライダーの安定性がより向上する。
なお、ボールローラーを、板状部材の縁付近に設けると共に、板状部材の平面的な中心付近に設けてももちろん良い。こうした場合、板状部材の中央付近の強度向上を図ることができる。【００１５】
また、本発明のストレッチ用スライダーを構成するに当たり、複数個のボールローラーの中心点（図２のＲ点参照）と、板状部材の縁部との最短距離を１０〜５０ｍｍの範囲内の値とすることが好ましい。
このように構成することにより、複数個のボールローラーを板状部材の縁部に所定の設計基準で配置できるので、ストレッチ用スライダーが傾く程度を軽減でき、より安定性を向上させることができる。
なお、上述した構成は、ボールローラーを板状部材に取り付ける際の取り付け強度等を確保するため、板状部材の縁からの逃げ寸法ａ（図２（ｃ）参照）が必要な場合を考慮したものである。
また、複数個のボールローラーにおける、板状部材の縁部との距離は、全てのボールローラーで同じでも良く、場合によっては、一部で異なっていても良い。【００１６】
また、本発明のストレッチ用スライダーを構成するに当たり、第２の面から、ボールローラーが突出する高さを５〜３０ｍｍの範囲内の値とすることが好ましい。
このように構成することで、板状部材が床等から必要以上に離れることを防止できるので、ストレッチ用スライダーが傾く程度を軽減でき、より安定性を向上させることができる。【００１７】
また、本発明のストレッチ用スライダーを構成するに当たり、板状部材の第１の面に、緩衝部材が積層してあることが好ましい。
緩衝部材を積層することで、ストレッチの際の人への衝撃の緩和が図れ、また、手のひら等の人の部位と、ストレッチ用スライダーと密着性が高まる。
従って、ストレッチ用スライダーの安定性がより向上し、使用者の膂力等の身体能力への依存性を低減できる。
なお、上記の緩衝部材は、一層の構成でも良いし、複数層の構成でも良い。こうすることで、緩衝部材の設計自由度が高まるので、好ましい。【００１８】
また、本発明のストレッチ用スライダーを構成するに当たり、板状部材の平面形状における最大径を１５〜３５ｃｍの範囲内の値とすることが好ましい。
このように構成することで、ストレッチの際、手、膝、つま先、足裏等の人の部位を、ストレッチ用スライダーに、より安定した状態で置くことできる。
なお、本発明における最大径とは、板状部材の平面形状に外接する円を描いた場合における、当該外接円の直径を意味する。【００１９】
本発明のストレッチ用スライダーを構成するに当たり、板状部材の平面形状を、円状、四角形状、多角形状又は異形状から選択される少なくとも一種とすることが好ましい。
このように構成することで、ストレッチの際、手、膝、つま先、足裏等の人の部位を、ストレッチ用スライダーに、より安定した状態で置くことできるとともに、ストレッチ用スライダーに対し、好適な意匠性を付与することができる。
【図面の簡単な説明】
【００２０】
図１は、本発明のストレッチ用スライダーを説明するために供する第１の面側から見た斜視図である。
図２(ａ)、（ｂ）、（ｃ）は、それぞれ本発明のストレッチ用スライダーにおけるボールローラーを説明するために供する図である。
図３（ａ）、（ｂ）は、本発明のストレッチ用スライダーに設ける凹部を説明するために供する図である。
図４（ａ）、（ｂ）は、本発明のストレッチ用スライダーに設ける複数個のボールローラーの配置の変形例を説明するために供する図である。
図５（ａ）は、凹部の他の例を説明するために供する図、図５（ｂ）は、凹凸形状を設ける例を説明するために供する図、図５（ｃ）は、ボールローラーの他の好ましい構造例説明するために供する図である。
図６は、ストレッチ用スライダーの平面形状の他の例を説明するために供する図である。
図７(ａ)は、従来のストレッチ用スライダーを使用状態と併せて説明するために供する図であり、図７（ｂ）は、従来のストレッチ用スライダーの構造概要を説明するために供する図である。
図８は、従来の手足スライダの使用例を説明するために供する図である。
【発明を実施するための形態】
【００２１】
以下、適宜図面を参照してこの発明の実施形態について説明する。なお、説明に用いる各図において、同様な構成成分については同一の符号を付して示し、その説明を省略する場合もある。
［第１の実施形態］
【００２２】
図１は、第１の実施形態のストレッチ用スライダー１０（以下、ストレッチ用スライダー（その１）と称する場合がある。）を説明するための斜視図である。具体的には、図２（ａ）は、ストレッチ用スライダー１０を、第２の面から見た斜視図である。図２（ｂ）は、ボールローラー１３の拡大斜視図である。図２（ｃ）は、ボールローラー１３の、板状部材１１に対する好ましい配置関係を説明する側面図である。
【００２３】
１．板状部材
第１の実施形態のストレッチ用スライダー１０は、板状部材１１と、複数個のボールローラー１３と、を備えている。板状部材１１は、表面としての第１の面１１ｂと、裏面としての第２の面１１ａと、を有するものである。
【００２４】
（１）構成材料
板状部材１１の構成材料は、特に制限されるものではないが、ストレッチ用スライダー１０に要求される寿命、コスト等を考慮し、木材、金属、樹脂、及びセラミックから選ばれた少なくとも１種以上を含むことが好ましい。
例えば、強度を考慮すれば金属が良く、軽量かつ強度を考慮すれば樹脂等が良く、加工性を考慮すれば木材が良い。
なお、板状部材１１の厚さは、ストレッチ用スライダー１０としての強度が得られる任意の厚みで良く、これに限られないが、例えば１０〜５０ｍｍの範囲内の値であることが好ましい。
【００２５】
（２）平面形状
本発明における板状部材１１の平面形状は、用途に応じて適宜変更できるが、例えば円状、四角形状、多角形状又は異形状から選択される少なくとも一種とすることが好ましい。
この理由は、上述した形状とすることで、ストレッチの際、手、膝、つま先、足裏等の人の部位を、ストレッチ用スライダー１０に、より安定した状態で置くことでき、使用時の姿勢安定性をより高めることができるためである。
また、後の実施形態に示すように、略花びら形状や、略星形状とすることで、ストレッチ用スライダー１０に対し、好適な意匠性を付与できるためである。
なお、四角形状や、略星形状等とする場合、角部を曲面に加工をするのが好ましい。
【００２６】
（３）大きさ
板状部材１１の平面形状における最大径を、１５〜３５ｃｍの範囲内の値とすることが好ましい。
この理由は、かかる最大径が１５ｃｍ未満の値となると、ストレッチの際、手、膝、つま先、足裏等の人の部位を、ストレッチ用スライダー１０に、安定した状態で置くことが困難となり、安定性が低下するためである。
一方、かかる最大径が３５ｃｍを越えた値となると、コンパクト性や、軽量性が低下し、取り回しや持ち運びの容易さを保てない場合があるためである。
従って、板状部材１１の平面形状における最大径を１８〜３２ｃｍの範囲内の値とすることがより好ましく、２０〜３０ｃｍの範囲内の値とすることがさらに好ましい。
なお、本発明における最大径とは、板状部材１１の平面形状に外接する円を想定した場合における、当該外接円の直径を意味する。
【００２７】
（４）緩衝部材
また、本発明のストレッチ用スライダー１０を構成するに当たり、板状部材１１が、第１の面１１ｂに、緩衝部材１５を積層することが好ましい。
この理由は、緩衝部材１５を積層することで、ストレッチ時の人への衝撃の緩和が図れ、また、手のひら、膝、つま先、足裏等の人の部位のストレッチ用スライダー１０への密着性が高まる等の効果が得られるためである。
従って、ストレッチ用スライダーの安定性がより向上し、使用者の膂力等の身体能力への依存性を低減できる。
【００２８】
緩衝部材１５は、所望の物性を得られるのであれば、一層の構成で良いが、複数層の構成でも良い。
複数層で構成した場合、一層では所望の厚みを得にくい場合に、別の層で所望の厚みを達成でき、また、各材料の物性を生かした多機能型の緩衝部材１５を構成できる等の利点がある。
なお、緩衝部材１５の厚さは、ストレッチ用スライダー１０の軽量性を保ちつつ、好適な緩衝性が得られる任意の厚みで良く、これに限られないが、例えば１０〜４０ｍｍの範囲内の値であることが好ましい。
【００２９】
また、緩衝部材１５は、通常、ウレタン樹脂、ＥＶＡ樹脂、スチレン樹脂、ポリエステル樹脂、及びアクリル樹脂のうち少なくとも一種以上を含む部材であることが好ましい。
この理由は、適度な緩衝性、及び密着性を得られるとともに、加工性、軽量性及び経済性に優れるためである。
なお、第１の実施形態のストレッチ用スライダー１０の場合、緩衝部材１５は、板状部材１１側から順に設けた第１の緩衝部材１５ａと、第２の緩衝部材１５ｂとの２層構造としてある。
これに限られないが、第１の緩衝部材１５ａを例えばウレタンゴムによって構成してあり、第２の緩衝部材１５ｂをエチレンビニルアセテート（ＥＶＡ）によって構成してある。これに限られないが、第１の緩衝部材１５ａ、第２の緩衝部材１５ｂ各々の厚みは、約１０ｍｍとしてある。
【００３０】
（５）凹部又は凹凸
また、本発明のストレッチ用スライダー１０を構成するに当たり、板状部材１１の第１の面１１ｂに、手、膝、つまさき、足裏等の人の部位を受ける凹部１７又は凹凸１９を備えることが好ましい。
図３は凹部１７を説明する図である。具体的には、図３（ａ）は、ストレッチ用スライダー１０を、第１の面１１ｂ側から見た斜視図である。図３（ｂ）は、図３（ａ）のＰ−Ｐ線に沿ったストレッチ用スライダー１０の断面図である。
なお、第１の面１１ｂに緩衝部材１５を積層する場合は、凹部１７は緩衝部材１５に設けるのが良く、図３の例はその例である。また、図５（ｂ）に凹凸１９の例を示してある。
【００３１】
このように凹部１７又は凹凸１９を設けることで、ストレッチ用スライダー１０への手のひら、膝、つま先、足の裏等の人の部位の座りが一層高まるので、ストレッチ用スライダー使用時の姿勢安定性がより向上する。
【００３２】
凹部１７又は凹凸１９の形状は、特に限定されるものではなく、例えば、図５（ａ）に記載するように、曲面上に凹んだ形状であっても良いし、人の手のひらを象った形状であっても良い。
凹部１７の深さは、ストレッチ用スライダー１０の耐久性を維持でき、かつ、凹部１７としての役割が果たせる深さとすることが好ましく、これに限られないが、５〜２０ｍｍの範囲内の値とすることが好ましい。
また、凹凸１９の高低差は、これに限られないが、５〜３０ｍｍの範囲内の値とすることが好ましい。
【００３３】
２．ボールローラー
本発明のストレッチ用スライダー１０は、複数個のボールローラー１３を、板状部材１１の第２の面１１ａに備えるものである。
このように構成することで、ストレッチ用スライダーの安定性が向上するとともに、使用環境を問わずストレッチ運動を行うことができる。
本発明のストレッチ用スライダー１０としては、使用時の安定性を保つため、ボールローラー１３の個数、及び配置が重要となる。
また、本発明のストレッチ用スライダー１０の使用時は、手のひら、膝、つま先、足裏等の人の部位をおいて使用することから、十分な耐荷重性を有することも重要である。
【００３４】
（１）個数
板状部材１１の第２の面１１ａに配置されるボールローラー１３の個数としては、少なくとも３個以上であることが好ましい。
この理由は、配置されるボールローラー１３の個数が多いほど、ストレッチ用スライダー１０の使用時の姿勢安定性が向上し、使用者の膂力等の身体能力への依存性をより低減させることができるためである。
また、荷重を複数個のボールローラー１３に分散することで、ストレッチ用スライダー１０全体としての耐荷重性が向上するためである。
従って、ボールローラー１３の個数としては、４個以上であることがより好ましく、５個以上とすることがさらに好ましい。
なお、個数が多すぎると、ボールローラー１３の材料費が嵩む場合があるが、小型で安価なボールローラー１３を多数個用いるという設計方法をとることもできる。
【００３５】
（２）配置
また、ボールローラー１３は、少なくとも第２の面１１ａの縁に沿って設けてあり、然も、均等な位置に設けるのが良い。
この理由は、ボールローラー１３の配置が、板状部材１１の縁の近くであるほど、板状部材１１の縁部の１か所に外力が集中しても、板状部材１１は傾きにくくなり、ストレッチ用スライダー１０の安定性を維持できるためである。
また、ボールローラー１３の配置が均等であるほど、荷重を複数個のボールローラー１３に対し、均一に分散することができ、ストレッチ用スライダー１０全体としての耐荷重性が向上するためである。
【００３６】
よって、複数個のボールローラー１３各々の中心点（図２（ｃ）のＲ点）と、板状部材１１の縁部との距離を１０〜５０ｍｍの範囲内の値とすることが好ましく、１２〜４０ｍｍの範囲内の値とすることがより好ましく、１５〜３０ｍｍの範囲内の値とすることがさらに好ましい。
なお、第１の実施形態のストレッチ用スライダー１０の場合、４個のボールローラー１３は、板状部材１１の第２の面１１ａ上であって、平面的な中心点Ｑを通る直交する２本の線の各々先端で、かつ、板状部材１１の縁に沿って設けてある。
【００３７】
（３）高さ
また、ストレッチ用スライダー１０の安定性を向上させるためには、第２の面１１ａから、ボールローラー１３が突出する高さ、つまりは、第２の面１１ａと、ボールローラー１３の下端が接する面（図２（ｃ）中のＲ）との距離を、ボールローラー１３の動きに支障が無い限り、小さくする方が好ましい。
従って、第２の面１１ａから、ボールローラー１３が突出する高さを５〜３０ｍｍの範囲内の値とすることが好ましく、８〜２５ｍｍの範囲内の値とすることがより好ましく、１０〜２０ｍｍの範囲内の値とすることがさらに好ましい。
なお、ストレッチ用スライダー１０の安定性や、耐荷重性を向上させるために、板状部材１１の第２の面１１ａの中心点Ｑ付近に、ボールローラー１３を設けても良い（図示省略）。
【００３８】
そして、本発明のストレッチ用スライダー１０においては、上記の観点に基づき、要求されるサイズ、耐荷重性及びコストを、総合的に検討し、好適なボールローラー１３を選択するのが好ましい。
このようなボールローラー１３は、機械部品メーカから市場に、種々のものが提供されているので、これらの中から選択する。これに限られないが、例えば、（株）ミスミグループ、鍋屋バイテック株式会社等のメーカから提供されているボールローラーの商品群から選ぶことができる。
なお、ボールローラー１３は、その形状にもよるが、典型的には、板状部材１１に、ビス１３ａ等の固定部材によって取り付ける。又は、後に図５（ｃ）を参照して説明するボールローラーのように、それ自体を板状部材１１にねじ込んで固定する。
【００３９】
また、本発明のストレッチ用スライダー１０においては、ボールローラー１３を回転に応じて、所定の音を発するものとすることも好ましい。
このように構成することにより、ボールローラー１３の軽微な故障や、損傷を、音の変化により発見しやすくなり、不具合が重なったことによる過度な破損等を防ぐことができる。
【００４０】
［第２の実施形態］
第２の実施形態のストレッチ用スライダー２０（以下、ストレッチ用スライダー（その２）と称する場合がある。）は、板状部材１１の第２の面１１ａに５個のボールローラー１３を設けるものである。
５個のボールローラー１３は、正五角形の５つの頂点に相当する位置に配置するのが好ましい。
図４（ａ）に示すように、ボールローラー１３を５個用いる場合、４個用いる場合より、板状部材１１の座りが良くなるので、ストレッチ用スライダー２０の安定性が向上する。
【００４１】
［第３の実施形態］
第３の実施形態のストレッチ用スライダー３０（以下、ストレッチ用スライダー（その３）と称する場合がある。）は、図４（ｂ）に示すように、板状部材１１の第２の面１１ａに設けるボールローラー１３ｘを、第１の実施形態のものより小型なものとし、かつ、第１の実施形態、第２の実施形態より多くした例である。図示例では、ボールローラーを１０個設けている。
この第３の実施形態のストレッチ用スライダー３０の場合、複数個のボールローラー１３ｘ各々の中心点と、板状部材１１の縁部との距離、及び、第２の面１１ａから、ボールローラー１３ｘが突出する高さを第１の実施形態に比べてさらに小さくできる。
さらには、ボールローラー１３ｘを高密度に設けることができるため、ストレッチ用スライダー３０の安定性が向上し、外力が板状部材１１の縁の局所に集中して加わっても、ストレッチ用スライダー３０の傾きが生じにくい。
なお、第３の実施形態で用いた小型のボールローラーは、単体での耐荷重性が、第１の実施形態、第２の実施形態で用いたボールローラーよりも低下しているが、配置数を増やすことで、ストレッチ用スライダー３０全体としての耐荷重性を好適なものとしている。
【００４２】
［第４の実施形態］
第４の実施形態のストレッチ用スライダー４０（以下、ストレッチ用スライダー（その４）と称する場合がある。）は、図５（ｃ）に示すように、ボールローラーとして、いわゆるボルトタイプと称するボールローラー１３ｓを用いている。
このボルトタイプのボールローラー１３ｓの場合、図２に示したフランジ付きボールローラー１３に比べ、平面的寸法が小さくなるという利点が得られる。
具体的には、耐荷重性が同等なもの同士で比較した場合、ボルトタイプのものは、フランジ付きのものと比べ、平面的寸法は約３分の２程度になる。
従って、ボルトタイプのボールローラー１３ｓを用いた第４の実施形態のストレッチ用スライダー４０は、第１の実施形態に比べ、ボールローラーを高密度に設けることができると共に、ボールローラーを板状部材の縁に一層近接させて設けることができる。
そのため、複数個のボールローラー１３ｓ各々の中心点と、板状部材１１の縁部との距離を第１の実施形態に比べてさらに小さくでき、外力が板状部材の縁の局所に集中して加わっても、ストレッチ用スライダー４０の傾きが生じにくい。
なお、板状部材１１にボールローラー１３，１３ｓを設ける際に、図５（ｃ）に示したように、ボールローラー１３，１３ｓの一部分を板状部材１１に埋め込むための座繰り部１１ｚを板状部材１１に設け、この座繰り部を利用してボールローラーを板状部材１１に設けても良い。
繰り部１１ｚを用いた分、第２の面１１ａと、ボールローラー１３ｓの下端が接する面との距離を小さくできるという利点が得られる。
【００４３】
［第５の実施形態］
第５の実施形態のストレッチ用スライダー５０（以下、ストレッチ用スライダー（その５）と称する場合がある。）の平面図を図６（ａ）に示す。
第５の実施形態のストレッチ用スライダー５０は、６個の丸状の凸部を持ち、花びら状の平面形状を持つものとしてある。
このような平面形状は、板状部材を成型若しくは加工する際に形成すれば良い。ボールローラー１３は、６個の丸状の凸部の領域に各々設けてある。
この第５の実施形態のストレッチ用スライダー５０は、商品価値を意匠の面で高めることができる。また、ボールローラー１３を、６個の丸状の凸部の領域に各々設けてあるため、ストレッチ用スライダー５０の床に対する座りや、ストレッチ用スライダー５０の縁部の局所に外力が集中的に加わった場合の傾きにくさも高まるという効果も得られる。
【００４４】
［第６の実施形態］
第６の実施形態のストレッチ用スライダー６０（以下、ストレッチ用スライダー（その６）と称する場合がある。）の平面図を図６（ｂ）に示す。
第６の実施形態のストレッチ用スライダー６０は、平面形状を略星形状としたものである。このような平面形状は、板状部材を成型若しくは加工する際に形成すれば良い。ボールローラー１３は、星形の５つの凸部の領域に各々設けてある。
この第６の実施形態のストレッチ用スライダー６０は、商品価値を意匠の面で高めることができる。また、ボールローラー１３を、星形の凸部の領域に各々設けてあるため、ストレッチ用スライダー６０の床に対する座りや、ストレッチ用スライダー６０の縁部の局所に外力が集中的に加わった場合の傾きにくさも高まるという効果も得られる。
【実施例】
【００４５】
以下、実施例を用いて、更に本発明を詳細に説明する。
但し、本発明は、特に理由なく、下記の実施例の記載に限定されるものではない。【００４６】
[参考例１]
１．ストレッチ用スライダーの準備
（１）板状部材の準備
板状部材の構成材料として、木製の板（厚さ１０ｍｍ）、及び４個のフランジつきボールローラー（（株）ミスミグループ製、ＢＣＨＣ４０）を用意した。
次いで、木製の板を直径２０ｃｍの円状へ加工し、電動トリマーを使用して、縁部を、丸みを帯びた、滑らかなものとした。
さらに、第２の面に、ボールローラーの大きさ、及び形状に応じた４つのくぼみを成形した。
【００４７】
（２）ボールローラーの配置
図１（ｃ）に示すように、４個のフランジつきボールローラーを、板状部材の第２の面の、４つのくぼみにそれぞれ配置し、ビスを以て固定して、ストレッチ用スライダーとした。
ボールローラーの中心点と、板状部材の縁部との距離は全て２５ｍｍ、第２の面から、ボールローラーが突出する高さは１５ｍｍであった。【００４８】
２．ストレッチ用スライダーの評価
（１）軽量性
得られたストレッチ用スライダーの軽量性を、下記基準に沿って評価した。得られた結果を表１に示す。
◎：重量が４００ｇ以下である。
〇：重量が８００ｇ以下である。
△：重量が１ｋｇ以下である。
×：重量が１ｋｇを超えている。【００４９】
（２）コンパクト性
得られたストレッチ用スライダーを中型のハンドバッグ（高さ：２４ｃｍ、幅：３０ｃｍ、マチ幅：８ｃｍ）に収容し、ストレッチ用スライダーのコンパクト性を、下記基準に沿って評価した。得られた結果を表１に示す。
◎：ストレッチ用スライダーを少なくとも４つ以上好適に収容できる。
〇：ストレッチ用スライダーを少なくとも２つ以上好適に収容できる。
△：ストレッチ用スライダーを少なくとも１つ以上好適に収容できる。
×：ストレッチ用スライダーを好適に収容できない。【００５０】
（３）滑り性
得られたストレッチ用スライダーの滑り角を、カーペット（ウレタン樹脂との静止摩擦係数０．７３）上で計測し、下記基準に沿って評価した。得られた結果を表１に示す。
◎：計測された滑り角が１０°以下である。
〇：計測された滑り角が２０°以下である。
△：計測された滑り角が３０°以下である。
×：計測された滑り角が３０°を超えている。【００５１】
（４）ストレッチ性
１０代〜５０代の男女１０人が、得られたストレッチ用スライダーを使用し、手のひら、膝、足裏をスライダーに置く体勢で、３０分にわたって、ストレッチ運動を行った。
終了後、下記基準に沿って、使用したストレッチ用スライダーのストレッチ性を評価した。得られた結果を表１に示す。
◎：１０人全員が、好適にストレッチ運動を行うことができた。
〇：１〜２人が、体勢を保つのを困難とし、好適にストレッチ運動を行うことができなかった。
△：３〜５人が、体勢を保つのを困難とし、好適にストレッチ運動を行うことができなかった。
×：５人以上が、体勢を保つのを困難とし、好適にストレッチ運動を行うことができなかった。【００５２】
[参考例２]
参考例２においては、板状部材の第１の面に、板状部材と同一の平面形状を有する緩衝部材を積層したほかは、参考例１と同様に、ストレッチ用スライダーを作製し、評価した。
なお、緩衝部材はＥＶＡ樹脂を含む２層構造であり、緩衝部材の厚さは２０ｍｍであった。
【００５３】
[参考例３]
参考例３においては、板状部材の第１の面に、板状部材と同一の平面形状を有する緩衝部材を積層し、緩衝部材に円状の凹部を設けたほかは、参考例１と同様に、ストレッチ用スライダーを作製し、評価した。
なお、緩衝部材はＥＶＡ樹脂を含む２層構造であり、緩衝部材の厚さは２０ｍｍ、凹部の深さは５ｍｍであった。
【００５４】
[実施例４]
実施例４においては、板状部材の第１の面に、板状部材と同一の平面形状を有する緩衝部材を積層し、ボルトタイプのボールローラー（（株）ミスミグループ製、ＢＣＨＬ８）を８個用いたほかは、参考例２と同様に、ストレッチ用スライダーを作製し、評価した。
なお、ボールローラーの中心点と、板状部材の縁部との距離は全て１５ｍｍ、第２の面から、ボールローラーが突出する高さは８ｍｍであった。
【００５５】
[比較例１]
比較例１においては、図７に示す、１個の大型のローラーボールを含む構成の、従来のストレッチ用スライダーを使用し、参考例１と同様の基準に沿って軽量性等を評価した。得られた結果を表１に示す。
【００５６】
[比較例２]
比較例２においては、図８に示す、第１の手足スライダ、及び第２の手足スライダからなる、従来の手足支持エクササイズシステムを使用し、参考例１と同様の基準に沿って軽量性等を評価した。得られた結果を表１に示す。
【００５７】
【表１】
0006942906.tif 000002
【産業上の利用可能性】
【００５８】
以上の説明の通り、本発明のストレッチ用スライダーによれば、コンパクト性、軽量性に優れ、高い安定性、及び滑り性を発揮するストレッチ用スライダーが提供されるようになった。
すなわち、板状部材と実施形態で説明するような工業的に量産されている小型のボールローラーにより、構成するため、コンパクト性、軽量性に優れ、運搬が容易である。
また、高い安定性を発揮するため、スポーツ選手など、日々の鍛錬を日課とする者が使用する場合はもちろんのこと、十分な膂力を有さない老人や、子供等であった場合でも、容易にストレッチ効果を得られ、幅広い年齢層での使用性が期待される。
しかも、ストレッチ用スライダーの移動は、ボールローラーを介して行われるため、高い滑り性を有し、摩擦係数の高い床面上であっても容易に使用することができる。
さらに、本発明のストレッチ用スライダーは、上記の通り、簡易な構造であるため、経済的にも有利である。
これらのことから、本発明のストレッチ用スライダーは、今後ますます進む高齢化社会の健康対策の有力な器具の一種として、産業上の利用可能性は極めて高いものである。
【図１】
0006942906.tif 000003
【図２】
0006942906.tif 000004
【図３】
0006942906.tif 000005
【図４】
0006942906.tif 000006
【図５】
0006942906.tif 000007
【図６】
0006942906.tif 000008
【図７】
0006942906.tif 000009
【図８】
0006942906.tif 000010